【手続補正書】
【提出日】平成16年4月20日(2004.4.20)
【手続補正１】
【補正対象書類名】明細書
【補正対象項目名】発明の名称
【補正方法】変更
【補正の内容】
【発明の名称】現像カートリッジ、現像装置、及び電子写真画像形成装置


【手続補正２】
【補正対象書類名】明細書
【補正対象項目名】特許請求の範囲
【補正方法】変更
【補正の内容】
【特許請求の範囲】
【請求項１】
電子写真画像形成装置本体に着脱可能な現像カートリッジにおいて、
像担持体に形成された潜像を現像剤を用いて現像する現像剤担持体と、
前記現像カートリッジが前記装置本体に装着された際に、前記現像剤担持体が前記像担持体に最も近接する位置よりも、前記現像剤担持体の回転方向下流側に設けられた、前記現像剤担持体の現像領域よりも長い導電性部材であって、前記現像カートリッジが前記装置本体に装着された際に、前記装置本体に設けられた電源から前記現像剤担持体に印加される電圧を分岐した電圧が印加される導電性部材と、
を有し、
現像時に飛散する現像剤を前記導電性部材、現像剤担持体、及び、像担持体に電気的に付着させることを特徴とする現像カートリッジ。
【請求項２】
前記電圧は直流を重畳した交流電圧であることを特徴とする請求項１に記載の現像カートリッジ。
【請求項３】
像担持体に形成された潜像を現像剤を用いて現像する現像装置において、
像担持体に形成された潜像を現像剤を用いて現像する現像剤担持体と、
前記現像装置が電子写真画像形成装置本体に装着された際に、前記現像剤担持体が前記像担持体に最も近接する位置よりも、前記現像剤担持体の回転方向下流側に設けられた、前記現像剤担持体の現像領域よりも長い導電性部材であって、前記現像装置が前記装置本体に装着された際に、前記装置本体に設けられた電源から前記現像剤担持体に印加される電圧を分岐した電圧が印加される導電性部材と、
を有し、
現像時に飛散する現像剤を前記導電性部材、現像剤担持体、及び、像担持体に電気的に付着させることを特徴とする現像装置。
【請求項４】
前記電圧は直流を重畳した交流電圧であることを特徴とする請求項３に記載の現像装置。
【請求項５】
現像カートリッジを着脱可能な電子写真画像形成装置において、
前記現像カートリッジが電子写真画像形成装置本体に装着された際に、像担持体に形成された潜像を現像剤を用いて現像する現像剤担持体が前記像担持体に最も近接する位置よりも、前記現像剤担持体の回転方向下流側に設けられた、前記現像剤担持体の現像領域よりも長い導電性部材であって、前記現像カートリッジが前記装置本体に装着された際に、前記装置本体に設けられた電源から前記現像剤担持体に印加される電圧を分岐した電圧が印加される導電性部材を有し、
現像時に飛散する現像剤を前記導電性部材、現像剤担持体、及び、像担持体に電気的に付着させることを特徴する電子写真画像形成装置。
【請求項６】
前記電圧は直流を重畳した交流電圧であることを特徴とする請求項５に記載の電子写真画像形成装置。
【手続補正３】
【補正対象書類名】明細書
【補正対象項目名】００１３
【補正方法】変更
【補正の内容】
【００１３】
従って、本発明の目的は、飛散トナーによる装置本体内の汚れを防止できる現像装置、該現像装置をユニット化した現像カートリッジ、前記現像装置、或いは前記現像カートリッジを備えた電子写真画像形成装置を提供することである。


【手続補正４】
【補正対象書類名】明細書
【補正対象項目名】００１４
【補正方法】変更
【補正の内容】
【００１４】
【課題を解決するための手段】
上記目的は本発明に係る現像カートリッジ、現像装置、及び電子写真画像形成装置にて達成される。要約すれば、本発明は、電子写真画像形成装置本体に着脱可能な現像カートリッジにおいて、
像担持体に形成された潜像を現像剤を用いて現像する現像剤担持体と、
前記現像カートリッジが前記装置本体に装着された際に、前記現像剤担持体が前記像担持体に最も近接する位置よりも、前記現像剤担持体の回転方向下流側に設けられた、前記現像剤担持体の現像領域よりも長い導電性部材であって、前記現像カートリッジが前記装置本体に装着された際に、前記装置本体に設けられた電源から前記現像剤担持体に印加される電圧を分岐した電圧が印加される導電性部材と、
を有し、
現像時に飛散する現像剤を前記導電性部材、現像剤担持体、及び、像担持体に電気的に付着させることを特徴とする現像カートリッジである。


【手続補正５】
【補正対象書類名】明細書
【補正対象項目名】００１５
【補正方法】変更
【補正の内容】
【００１５】
本発明による他の態様によれば、像担持体に形成された潜像を現像剤を用いて現像する現像装置において、
像担持体に形成された潜像を現像剤を用いて現像する現像剤担持体と、
前記現像装置が電子写真画像形成装置本体に装着された際に、前記現像剤担持体が前記像担持体に最も近接する位置よりも、前記現像剤担持体の回転方向下流側に設けられた、前記現像剤担持体の現像領域よりも長い導電性部材であって、前記現像装置が前記装置本体に装着された際に、前記装置本体に設けられた電源から前記現像剤担持体に印加される電圧を分岐した電圧が印加される導電性部材と、
を有し、
現像時に飛散する現像剤を前記導電性部材、現像剤担持体、及び、像担持体に電気的に付着させることを特徴とする現像装置が提供される。
【手続補正６】
【補正対象書類名】明細書
【補正対象項目名】００１６
【補正方法】変更
【補正の内容】
【００１６】
本発明による他の態様によれば、現像カートリッジを着脱可能な電子写真画像形成装置において、
前記現像カートリッジが電子写真画像形成装置本体に装着された際に、像担持体に形成された潜像を現像剤を用いて現像する現像剤担持体が前記像担持体に最も近接する位置よりも、前記現像剤担持体の回転方向下流側に設けられた、前記現像剤担持体の現像領域よりも長い導電性部材であって、前記現像カートリッジが前記装置本体に装着された際に、前記装置本体に設けられた電源から前記現像剤担持体に印加される電圧を分岐した電圧が印加される導電性部材を有し、
現像時に飛散する現像剤を前記導電性部材、現像剤担持体、及び、像担持体に電気的に付着させることを特徴する電子写真画像形成装置が提供される。
【手続補正７】
【補正対象書類名】明細書
【補正対象項目名】００１７
【補正方法】変更
【補正の内容】
【００１７】
上記いずれの本発明にても、一実施態様によれば、前記電圧は直流を重畳した交流電圧である。
【手続補正８】
【補正対象書類名】明細書
【補正対象項目名】００１８
【補正方法】変更
【補正の内容】
【００１８】
【発明の実施の形態】
以下、本発明に係る現像装置、現像カートリッジ及び電子写真画像形成装置を図面に則して更に詳しく説明する。


【手続補正９】
【補正対象書類名】明細書
【補正対象項目名】００１９
【補正方法】変更
【補正の内容】
【００１９】
本発明に係る電子写真画像形成装置の一実施例が図１に示される。


【手続補正１０】
【補正対象書類名】明細書
【補正対象項目名】００２０
【補正方法】変更
【補正の内容】
【００２０】
本実施例の電子写真画像形成装置は、図１及び図２に示すように、電子写真画像形成装置本体に対して現像カートリッジ４が着脱可能とされ、又、像担持体つまり電子写真感光体である感光ドラム１、クリーニングブレード１０、廃トナー容器１１、及び帯電装置２が一体的に形成されたプロセスカートリッジが電子写真画像形成装置本体に対して着脱可能に構成されている。


【手続補正１１】
【補正対象書類名】明細書
【補正対象項目名】００２２
【補正方法】変更
【補正の内容】
【００２２】
この静電潜像は、感光ドラム１に対して近接配置され、電子写真画像形成装置本体に着脱可能な現像カートリッジ４によって現像され、トナー像として可視化される。尚、本実施例では露光部にトナー像を形成するいわゆる反転現像を行っている。


【手続補正１２】
【補正対象書類名】明細書
【補正対象項目名】００５０
【補正方法】変更
【補正の内容】
【００５０】
本実施例の現像カートリッジ４は、現像カートリッジ４が電子写真画像形成装置本体に装着された際に、現像スリーブ５が感光ドラム１と最も接近する位置つまり現像領域よりも現像スリーブ５の回転方向下流側に導電性部材１７を備えている。


【手続補正１３】
【補正対象書類名】明細書
【補正対象項目名】００５７
【補正方法】変更
【補正の内容】
【００５７】
本実施例の現像装置４は電子写真画像形成装置本体に着脱可能な現像カートリッジであるため、正極性の飛散トナーは導電性部材１７に付着し、電子写真画像形成装置外に持ち去られ、廃棄されるので電子写真画像形成装置が汚れることはない。


【手続補正１４】
【補正対象書類名】明細書
【補正対象項目名】００５８
【補正方法】変更
【補正の内容】
【００５８】
尚、本発明は、本実施例にて説明した現像カートリッジのみではなく、電子写真画像形成装置本体に固定的に装着され、現像容器内のトナーが消費されたときに適宜トナー補給手段によって補給される形式の現像装置にも適用できる。


【手続補正１５】
【補正対象書類名】明細書
【補正対象項目名】００５９
【補正方法】変更
【補正の内容】
【００５９】
【発明の効果】
以上の説明から明らかなように、本発明による現像装置、現像カートリッジ及び電子写真画像形成装置によれば、現像剤担持体の像担持体に最も近接する位置よりも前記現像剤担持体の移動方向下流側に導電性部材を有することにより、現像時の飛散トナーを前記像担持体上、前記現像剤担持体上、或いは前記導電性部材に電気的に付着させ、飛散トナーによる電子写真画像形成装置本体内の汚れを防止することができる。


【手続補正１６】
【補正対象書類名】明細書
【補正対象項目名】図面の簡単な説明
【補正方法】変更
【補正の内容】
【図面の簡単な説明】
【図１】本発明に係る現像カートリッジを用いた電子写真画像形成装置の一実施例を示す全体構成図である。
【図２】本発明に係る現像カートリッジの一実施例を示す断面図である。
【図３】図２の現像カートリッジを矢印Ｘ方向から見た現像スリーブを外した場合の説明図である。
【図４】本実施例における現像バイアス分岐回路の等価回路である。
【図５】本実施例における現像バイアスと導電性部材バイアスの波形図である。
【図６】本実施例における現像スリーブと感光ドラムと導電性部材の位置関係と飛散トナーの動きを示す説明図である。
【図７】従来の現像装置の一例を示す断面図である。
【符号の説明】
１                  感光ドラム（電子写真感光体）
４                  現像カートリッジ・現像装置
５                  現像スリーブ（現像剤担持体）
１７                導電性部材